(57)【要約】      （修正有）【課題】新築の和室にも既設の和室にも畳床暖房を設けることができ、和室の床の全面にも或いは一部分にも設けることができ、施工が簡単で、しかも透吸湿性能を良好に維持することができる床暖房用畳を提供する。【解決手段】ヒーターパネル３を畳全体と積層して備えていて、その大きさが半畳用や一畳用など独立して構成可能であるので、和室の床の全面にも、また、一部面にも畳床暖房を実現することができる。単位大きさごとに独立して構成されているので、床面に貼るだけで、その部分の畳床暖房が実現でき、熟練者でなくても畳床暖房を実現することができる。また、水分調整シート６及び水分止めシート７を畳体とヒーターパネル３との間に積層して備えた場合は畳の透吸湿性能を向上させることができるので、快適で健康的な畳床暖房を実現することができる。【選択図】図１
0003183568.tif 000002
【実用新案登録請求の範囲】
【請求項１】
畳体とヒーターパネルとを有し、かつ発熱体と前記発熱体を制御する制御回路を備えた前記ヒーターパネルを内蔵して備えることを特徴とする床暖房用畳
【請求項２】
前記畳体と前記ヒーターパネルとの間に上から順に水分調整シート、水分止めシートとを積層として備え、かつ前記ヒーターパネルの下に上から順に断熱材シート及び底覆板を積層して備えることを特徴とする請求項１記載の床暖房用畳
【請求項３】
前記畳体は畳表と畳床とを備え、かつ前記畳床はわら若しくは圧縮ボードを構成材として含むことを特徴とする請求項１または２記載の床暖房用畳
【請求項４】
最下部に枠体を有し、前記畳体より小さく前記ヒーターパネルを設け、前記畳体の前記畳床と前記枠体とを固定することによって前記畳体の縮みを抑える構造を有し、前記ヒーターパネルは前記畳床と前記枠体との間に配置されていることを特徴とする請求項１からの３のいずれか記載の床暖房用畳
【考案の詳細な説明】
【技術分野】
【０００１】
この考察は畳式床暖房に用いる畳に関するものである。
【背景技術】
【０００２】
床暖房は床面からその床面上の空間を暖房する暖房システムであって、暖気の移動と暖房対象の方向が一致しているので、伝熱効率が良く、また床面上から空間の高さ方向の温度分布を均一に保ち易いので、人にとって快適な暖房システムである。
【０００３】
床暖房としてはフローリングなどを施した洋室の床全面に行うことが多いが、和室ではフローリングのない畳敷きの部屋が多いために、畳敷きの部屋に床暖房を行う要望は多い。
【０００４】
しかしフローリングと和室は床構造が違うのでフローリングの床暖房の技術をそのまま和室の床暖房に適用することはできない。
【０００５】
また、和室の床面の一部分にだけ床暖房を設けることを望まれることも多いし、さらには新築の和室でなく既存の和室に、しかも簡単に設けることも望まれることが多く、従来のフローリングの技術を転用することができない。その理由として、フローリング技術をそのまま畳暖房に使用すると、まず第１に畳が昇温による水分の発散により縮む問題が発生する。
【０００６】
そこで第２に畳が縮まない程度の温度範囲で畳を昇温させると畳表面の温度が低すぎて暖房能力が不足することがある。
【０００７】
また畳についてはフローリングと異なって温度の調節が必要で、畳が吸収した水分が多すぎても、また乾燥し過ぎても快適な感触は得られない。
【０００８】
畳については畳表の下の畳床を非透湿性フィルムでラッピングすることも考えられているが（特許文献１参照）、これでは畳床の透吸湿機能を減殺させてしまうことになる。
【先行技術文献】
【特許文献】
【０００９】
【特許文献１】特開２０１２−１８８０号公報
【考案の概要】
【考案が解決しようとする課題】
【００１０】
この考案は上記の如き事情に鑑みてなされたものであって、新築の和室にも既設の和室にも畳床暖房を設けることができ、和室の床の全面にも或いは一部分にも設けることができ、施工が簡単で、しかも透吸湿性能を良好に維持することができる床暖房用畳を提供することを目的とするものである。
【課題を解決するための手段】
【００１１】
この目的に対応して、この考案の床暖房用畳は畳体とヒーターパネルとを積層として備えることを特徴としている。
【考案の効果】
【００１２】
この考案の床暖房用畳はヒーターパネルを畳全体と積層して備えていて、その大きさが半畳用や一畳用など独立して構成可能であるので、和室の床の全面にも、また、一部面にも畳床暖房を実現することができる。
この床暖房用畳は単位大きさごとに独立して構成されているので、床面に貼るだけで、その部分の畳床暖房が実現でき、熟練者でなくても畳床暖房を実現することができる。
【００１３】
この床暖房畳は水分調整シート及び水分止めシートを畳体とヒーターパネルとの間に積層して備えた場合は畳の透吸湿性能を向上させることができるので、快適で健康的な畳床暖房を実現することができる。
【図面の簡単な説明】
【００１４】
【図１】半畳用の床暖房用畳の斜視説明図
【図２】図１におけるＢ−Ｂ部断面説明図
【図３】床暖房用畳に用いる制御回路図
【図４】一畳用の床暖房用畳のヒーターパネルの回路図
【図５】ヒーターパネルと枠と畳床のそれぞれの外縁の配置関係を示す説明図
【考案を実施するための形態】
【００１５】
以下、この考案を実施する形態について図面を参照しながら説明する。
図１及び図２において、１は床暖房用畳であって、一例として半畳用のものが示されている。
【００１６】
床暖房用畳１は上から順に畳体２とヒーターパネル３とを層状に積み重ねて備えている。
【００１７】
畳体２は畳床５とその上を覆う畳表４とを備えている。畳表４はい草製のものでもよいし、プラスチック製のものでもよい。畳床５は畳の床として機能するものであれば従来の藁製のものでもよく、他の材料製でもよい。
【００１８】
ヒーターパネル３は面状発熱体のヒーター８と温度調節器１７（図３参照）で構成され、畳体２とほぼ同じ大きさを有し、畳体２に熱を伝達可能であることが必要である。
畳床５とヒーター３との間には水分調整シート６と水分止めシート７を積層して介装することが好ましい。
【００１９】
水分調整シート６は畳体２の透吸湿性を適当に保つ機能を果すためのものであり、また、水分止めシート７は結露がヒーター３に接触するのを防ぐ機能を果すためのものである。ヒーター３の下には断熱シート１２が敷設され、さらにその下に枠板１３が配置されている。断熱シート１２はヒーター３から枠体１３への伝熱を遮断するものであり、ひいては床パネル１４への伝熱を遮断するものである。
【００２０】
床パネル１４は床暖房用畳１を設置するための床板である。床暖房用畳１のそれぞれの構成部材は例えばミシンによる縫合や接着またはそれらを組合せて使用した一体化して床暖房用畳１を構成するする。このように構成された床暖房用畳１は、床パネル１４上に設置されて床暖房装置１５が完成する。
【００２１】
ヒーターパネル３の作動及び温度制御のための回路の一例を図３に示す。ヒーターパネル３の駆動電流はブレーカー１６をから温度調節器１７、検知器１８を介してヒーターパネル３に供給される。
【００２２】
温度調節器１７ではヒーターパネル３の温度が設定される。ヒーターパネル３の温度は温度センサー２１で検出されて信号が温度調節器１７に送られる。設定温度と発熱温度とのずれはポジティブサーミスタの抵抗値が変化し、電流が変化して温度調節が行なわれる。以上が一般的な温度コントロールの方式であるが温度調節器１７、検知器１８、センサー２１を統合した様なサーモスタットに代えることもできる。
【００２３】
ヒーターパネル３の温度が規格温度からずれたときは、回路ａ１、ｂ１の抵抗値をマイコン測定し、リレースイッチ２２がＯＮ−ＯＦＦする。
【００２４】
床暖房用畳１を半畳タイプよりも、大きく構成する場合、例えば一畳タイプとする場合は、図４に示すように、ヒーター３を２枚使用し、また床暖房用畳１の他の構成部材を必要に応じた大きさのものを使用する。
【００２５】
また畳の半畳サイズが図５に示すように例えば８８ｃｍ角だとすると、ヒーターパネル３の周囲に幅が６ｃｍの枠体１３の一部である枠１１を作ってヒーターパネル３を囲み、この枠１１を畳体２の畳床５にビス１０で止めれば、畳床５が水分を発散しても、縮みを枠１１で抑えることで畳体２の縮みを防止できる。
【実施例】
【００２６】
床暖房用畳１をそれぞれ次の部材を使用して構成し、良好な製品を得た。
畳表  い草製ござ
畳床  圧縮ボードタミロン（登録商標）
水分調整シート  ダンボールＭＭシート（登録商標）
水分止めシート  防水、１２０℃耐熱ビニールシート
ヒーターパネル  １００Ｖ、２００Ｗ
断熱シート  スタイロフォーム
枠体  ベニア（厚さ約１ｍｍ）
【産業上の利用可能性】
【００２７】
この発明の床暖房用畳は新築の和室にも既設の和室にも、畳床暖房を設けることができ、和室の床の全面にも或いは一部分にも設けることができ、施工が簡単で、しかも透吸湿性を良好に維持することができる。
【符号の説明】
【００２８】
１    床暖房用畳
２    畳体
３    ヒーターパネル
４    畳表
５    畳床
６    水分調整シート
７    水分止めシート
８    ヒーター
１０  ビス
１１  枠
１２  断熱シート
１３  枠体
１４  床パネル
１５  床暖房装置
１６  ブレーカー
１７  温度調節器
１８  検知器
２１  温度センサー
２２  リレースイッチ
【図１】
0003183568.tif 000003
【図２】
0003183568.tif 000004
【図３】
0003183568.tif 000005
【図４】
0003183568.tif 000006
【図５】
0003183568.tif 000007